(57)【要約】【課題】手袋を片手で簡単に脱げるとともに、脱いだ後の手袋を保持できることで、手術や検査等の邪魔にならず手術室や検査室等の衛生面の確保にも優れた手袋脱ぎ具を提供する。【解決手段】本発明の手袋脱ぎ具１は、所定箇所に取り付けて使用される、手から手袋を脱がすための手袋脱ぎ具１であって、互いに接して延び、離反させたときに互いに接する状態に戻ろうとする復元力を有する一対の脱離部材１０，１０を備え、一対の脱離部材１０，１０の先端１０ａ，１０ａは、互いに離間する。【選択図】図１
2015193975.tif 000002
【特許請求の範囲】
【請求項１】
所定箇所に取り付けて使用される、手から手袋を脱がすための手袋脱ぎ具であって、
互いに接して延び、離反させたときに互いに接する状態に戻ろうとする復元力を有する一対の脱離部材を備え、
前記一対の脱離部材の先端は、互いに離間する手袋脱ぎ具。
【請求項２】
本体部をさらに備え、
前記一対の脱離部材の基端は、前記本体部に取り付けられる請求項１に記載の手袋脱ぎ具。
【請求項３】
前記本体部は、所定箇所に固定するための固定手段を有する請求項２に記載の手袋脱ぎ具。
【請求項４】
前記一対の脱離部材は、前記本体部の外周部から突出するように取り付けられ、
前記一対の脱離部材の先端は、前記脱離部材の一方の先端を前記本体部の内部に向かって湾曲させることにより互いに離間する請求項２又は３に記載の手袋脱ぎ具。
【発明の詳細な説明】
【技術分野】
【０００１】
本発明は、手袋脱ぎ具に関するものである。
【背景技術】
【０００２】
病院等の医療従事者は、手術や検査等を行う際に、薄手のゴム手袋を使用している。ここで内視鏡医は、一方の手で内視鏡の操作部を操作しながら、他方の手で内視鏡の操作部の先端に取り付けられた挿入部を患者の体内に挿入して手術や検査等を行うが、手術や検査等の終了後、内視鏡の挿入部や、挿入部を保持していた側のゴム手袋は、汚物等が付着して汚れている。そのため、操作部から挿入部を取り外して内視鏡を片付ける際に、汚れているゴム手袋を着けたまま作業を行うと、操作部まで汚れてしまい、より片付け作業が面倒になる。よって、内視鏡の操作部を一方の手で保持したまま、他方の手のゴム手袋を脱ぐ必要があるが、この場合には看護師等の第三者に脱がせてもらうしかなく面倒であった。そこで、片手でゴム手袋が脱げる手袋脱ぎ具が提案されている（特許文献１）。
【０００３】
特許文献１の手袋脱ぎ具は、本体ボックスに手を挿入する手挿入口が設けられており、手挿入口の側部に板片をＬ字状に折り曲げた手袋離脱部材が設けられている。医療従事者は、手挿入口から手を入れ、手袋離脱部材にゴム手袋を引っ掛けて手を引き上げることにより、片手で簡単にゴム手袋を脱ぐことができる。
【先行技術文献】
【特許文献】
【０００４】
【特許文献１】特開２００２−３３６２７１号公報
【発明の概要】
【発明が解決しようとする課題】
【０００５】
特許文献１の手袋脱ぎ具では、手袋離脱部材により脱がされたゴム手袋は落下するため、特許文献１の手袋脱ぎ具は、手袋離脱部材の下方に、ゴム手袋を回収できる手袋回収ボックスが本体ボックスに一体に設けられた構成となっている。しかし、この構成では手袋脱ぎ具が大型化して邪魔になるという問題が生じていた。一方で、手袋回収ボックスを設けない場合には、脱いだゴム手袋が床に落ちてしまい、汚れたゴム手袋が床を汚して不衛生である上、汚れた床を清掃する必要があり、却って片付け作業に手間がかかるといった問題が生じていた。
【０００６】
本発明は、上記課題を解決するためになされたものであり、手袋を片手で簡単に脱げるとともに、脱いだ後の手袋を保持できることで、手術や検査等の邪魔にならず手術室や検査室等の衛生面の確保にも優れた手袋脱ぎ具を提供する。
【課題を解決するための手段】
【０００７】
本発明の手袋脱ぎ具は、所定箇所に取り付けて使用される、手から手袋を脱がすための手袋脱ぎ具であって、互いに接して延び、離反されたときに互いに接する状態に戻ろうとする復元力を有する一対の脱離部材を備え、前記一対の脱離部材の先端は、互いに離間する。
【０００８】
本発明の手袋脱ぎ具は、一対の脱離部材の先端が互いに離間しているため、手袋を容易に一対の脱離部材間に挿し込むことができる。この一対の脱離部材は、手を引き上げる際に、互いに広がって手袋を一対の脱離部材間に進入させるが、このとき互いに接する状態に戻ろうとする復元力が働くため、一対の脱離部材間に進入した手袋は、一対の脱離部材によって挟持される。これにより、一対の脱離部材間に手袋を挿し込んで手を引き上げるだけで、片手で簡単に手袋が脱げる。また、脱いだ手袋は一対の脱離部材によって挟持されて床に落下しないため、床を不衛生にすることを防止することができる。その結果、手袋脱ぎ具の下に脱いだ手袋を回収するための回収ボックス等を置く必要がなくなり、手袋脱ぎ具を小型化することができる。
【０００９】
なお、一対の脱離部材が互いに接するとは、隙間なく接する状態のみでなく、挟持する手袋の厚み以下の隙間を有するものも含むものである。つまり、一対の脱離部材間に手袋を挟持できれば、一対の脱離部材はわずかに離間してもよい。また、一対の脱離部材の先端が互いに離間するとは、一対の脱離部材が延びる方向と直交する方向に位置ずれする状態のみでなく、一対の脱離部材が延びる方向に位置ずれする状態、つまり、一対の脱離部材の長さが異なる状態も含むものである。この点は、本明細書を通じて同義である。
【００１０】
上記手袋脱ぎ具は、本体部をさらに備え、前記一対の脱離部材の基端は、前記本体部に取り付けられることができる。上記構成によれば、本体部を所望の箇所に設置するだけで、簡単に手袋脱ぎ具を設けることができる。
【００１１】
また、上記手袋脱ぎ具において、前記本体部は、所定箇所に固定するための固定手段を有することができる。上記構成によれば、接着剤や粘着剤のような本体部を固定するための手段を別途準備しなくても、固定手段を利用して簡単に本体部を所望の箇所に固定することができる。
【００１２】
また、上記手袋脱ぎ具において、前記一対の脱離部材は、前記本体部の外周部から突出するように取り付けられ、前記一対の脱離部材の先端は、前記脱離部材の一方の先端を前記本体部の内部に向かって湾曲させることにより互いに離間することができる。上記構成によれば、一対の脱離部材の先端が本体部及び一対の脱離部材から外側方向へ突出しないため、一対の脱離部材の先端を離間させることにより一対の脱離部材の先端が邪魔になることを防止することができる。
【００１３】
なお、本体部の外周部とは、本体部の側面と、本体部の上面及び下面の外周縁から所定距離内側の部分を含むものである。この点は、本明細書を通じて同義である。
【発明の効果】
【００１４】
本発明によれば、手袋を片手で簡単に脱げるとともに、脱いだ後の手袋を保持できる。その結果、手術や検査等の邪魔にならず、且つ、手術室や検査室等の衛生面を確保することができる。
【図面の簡単な説明】
【００１５】
【図１】本発明の手袋脱ぎ具の一実施形態を示す斜視図である。
【図２】図１の手袋脱ぎ具の側面図である。
【図３】図１の手袋脱ぎ具の使用状態の一例を示す斜視図である。
【発明を実施するための形態】
【００１６】
以下、本発明に係る手袋脱ぎ具１の一実施形態について、添付図面を参照して説明する。
【００１７】
図１及び図２に示すように、本実施形態の手袋脱ぎ具１は、互いに接して延びる一対の脱離部材１０，１０と、脱離部材１０の基端１０ｂが取り付けられる本体部２０とを備えている。
【００１８】
脱離部材１０はともに、棒状部材を曲げ加工することにより形成されており、棒状部材を略Ｕ字状に湾曲させた把持部分１１と、棒状部材の両端部を把持部分１１に対して直交するように屈曲させた取付部分１２とにより構成されている。すなわち、脱離部材１０はともに、側面視略Ｌ字状、且つ、正面視略Ｕ字状となるように形成されており、取付部分１２が本体部２０から水平に延びるように取り付けられ、把持部分１１が本体部２０から垂下している。脱離部材１０を形成する棒状部材の径は、２ｍｍ〜５ｍｍ程度と細く、脱離部材１０の把持部分１１は、厚みの薄い扁平状になっている。これにより、手と手袋の間の隙間に一方の脱離部材１０を挿入し易くなっている。脱離部材１０の把持部分１１の長さは、一対の脱離部材１０，１０が互いに撓んで、間に手袋を挿入可能な程度に広がることができる長さが好ましく、９〜１５ｃｍ程度が好ましい。また、脱離部材１０の幅は、手首から脱離部材１０を挿し込める幅であれば、任意の幅とすることができるが、約１〜２ｃｍ程度と細い方が好ましい。これにより、手袋脱ぎ具１を小型化することができる。
【００１９】
一対の脱離部材１０，１０の内の一方の脱離部材１０は、先端１０ａ、つまりはＵ字状の把持部分１１の端部が、脱離部材１０の基端１０ｂ側、つまりは取付部分１２側に湾曲されている。これにより、２本の脱離部材１０，１０を重ねると、一対の脱離部材１０，１０は、先端１０ａ，１０ａ、つまりは把持部分１１の端部が互いに離間するようになっている。この一対の脱離部材１０，１０は、互いに重ね合わされて先端１０ａ，１０ａが互いに離間した状態で、先端１０ａ，１０ａが略同一水平面に位置するように形成されていることが好ましい。
【００２０】
一対の脱離部材１０，１０は、本体部２０に互いに当接した状態で取り付けられている。そして、一対の脱離部材１０，１０は、荷重が掛かることによって互いに離反し、且つ、無荷重状態では互いに接する状態に戻る復元力を有しており、例えば、ステンレス等の人力で撓み変形可能な材料により形成されている。
【００２１】
本体部２０は、所望の箇所に安定して設置でき、一対の脱離部材１０，１０を取り付けることができれば、任意の形状を採用することができる。本体部２０は、手で持てる程度に小型化することが好ましく、これにより、例えば手術室や検査室等において使用する際に、手術や検査等の邪魔になることを防止することができる。本実施形態では、本体部２０は、直方体状に形成されている。この本体部２０は、一側面が、脱離部材１０が取り付けられることが可能な大きさであれば十分であり、上記一側面の幅は、脱離部材１０の幅よりも少し長く形成されている。
【００２２】
一対の脱離部材１０，１０の基端１０ｂ，１０ｂは、本体部２０の一側面に取り付けられている。このとき、一対の脱離部材１０，１０は、先端１０ａを湾曲させた一方の脱離部材１０が内側（本体部２０側）に、他方の脱離部材１０が外側になるように取り付けられる。これにより、脱離部材１０の先端１０ａが、本体部２０の内部に向かって湾曲して本体部２０の下方の領域内に維持されるため、脱離部材１０の先端１０ａが本体部２０及び脱離部材１０の外側に突出することによって脱離部材１０の先端１０ａが邪魔になることを防止することができる。
【００２３】
また、本体部２０には、固定手段２１が設けられている。本実施形態では、固定部材２１は、本体部２０の脱離部材１０が設けられない一側面に切られたネジ穴（図示せず）にねじ込まれるボルト２１ａによって形成されている。なお、固定手段２１は、上記態様に限られず、既知の任意の手段を取り得る。一例として、手袋脱ぎ具１を取り付ける箇所と、本体部２０にマジックテープ(登録商標)や磁石を取り付けておき、マジックテープ(登録商標)や磁石によって本体部２０を固定できるようにしても良い。この場合は、マジックテープ(登録商標)や磁石が固定手段２１となる。また、本体部２０に両面テープを貼り付けておき、両面テープの所望の箇所に貼り付けることで本体部２０を固定することもできる。この場合には、両面テープが固定手段２１となる。さらには、本体部２０に固定手段２１を備えず、接着剤や粘着剤等を別途準備して所定箇所に本体部２０を固定することもできる。また、本体部２０にネジ止めや接着剤等によってクリップを取り付け、そのクリップで所定箇所を挟むことによって本体部２０を固定することもできる。
【００２４】
このような手袋脱ぎ具１は、次のようにして手から手袋を脱がすために使用される。すなわち、図３に一例を示すように、例えば医療器具の載せる台Ｓの横板Ｓｓに形成されている貫通孔（図示せず）を介してボルト２１ａを本体部２０のネジ穴にねじ込むことで本体部２０を台Ｓに固定し、これにより手袋脱ぎ具１を設置する。このとき、脱離部材１０が台Ｓの前方から本体部２０の下方側へ突出するように設置する。なお、本体部２０は、台Ｓに形成されている貫通孔を利用して取り付ける以外に、台Ｓに板を取り付けて板と本体部２０とをネジ止めする、本体部２０に取り付けられた既知のクリップを使用して台Ｓの端部を挟み込む等、任意の箇所に任意の手段で固定することができる。
【００２５】
このように予め手袋脱ぎ具１を設置しておき、手術や検査等の終了後、医療従事者は、一対の脱離部材１０、１０の先端１０ａ，１０ａ間に手袋を挿し込む。そのまま手を引き上げると、一対の脱離部材１０，１０は互いに広がって、外側の脱離部材１０が手と手袋との間に進入するとともに、一対の脱離部材１０，１０間に手袋が進入する。このとき、一対の脱離部材１０，１０は互いに接する状態に戻ろうとする復元力を有しているため、一対の脱離部材１０，１０間に手袋が挟持され、手から手袋を脱がすことができる。このとき、手袋の手首部分が脱離部材１０の先端１０ａ近傍で挟持された状態で、手の平及び指を引き抜くこととなるので、手の平及び指を引き抜く過程で手袋が裏返って手から脱がすことができる。脱いだ後の手袋は、一対の脱離部材１０，１０によって挟持された状態となる。
【００２６】
以上のように、本実施形態によれば、手袋脱ぎ具１は、先端が互いに離間した一対の脱離部材１０，１０を備えているため、手袋を容易に一対の脱離部材１０，１０間に挿し込むことができる。この一対の脱離部材１０，１０は、荷重を掛けると互いに離反するため、手を引き上げる際に互いに広がって手袋を一対の脱離部材１０，１０間に進入させることができる。このとき、一対の脱離部材１０，１０は、無荷重状態となると互いに接する状態に戻ろうとする復元力を有しているため、この復元力によって、手袋は一対の脱離部材１０，１０間に挟持される。その結果、片手を脱離部材１０の先端１０ａから基端１０ｂ側へ向かって動かすだけで、脱離部材１０に手袋が引っ掛かって簡単に手から手袋を脱がすことができる。また、脱いだ手袋は、一対の脱離部材１０，１０によって挟持されて床に落下しないため、床を不衛生にすることを防止することができる。その結果、手袋脱ぎ具１の下に脱いだ手袋を回収するための回収ボックス等を置く必要がなくなり、手袋脱ぎ具１を小型化することができる。さらに、手袋は裏返って脱げて汚れた面が内側になるので、より衛生的であるとともに、手にガーゼ等を握っている場合には、ガーゼ等が手袋の内側に保持された状態で手袋を脱ぐことができるため、手袋ともにガーゼ等も処分できて片付けの手間を省くことができる。
【００２７】
また、本実施形態では、手袋脱ぎ具１が本体部２０を備えているため、本体部２０を所望の箇所に設置するだけで、所望の箇所に簡単に手袋脱ぎ具１を設けることができる。さらに、本体部２０が固定手段２１を備えているため、接着剤や粘着剤等のような本体部２０を固定するための手段を別途準備する必要がなく、本体部２０の固定が容易になる。
【００２８】
以上、本発明の一実施形態について説明したが、本発明は、この実施形態に限定されるものではなく、その趣旨を逸脱しない限りにおいて、種々の変更が可能である。
【００２９】
例えば、上記実施形態では、脱離部材１０は、把持部分１１と取付部分１２とから構成されているが、例えば把持部分１１を直接本体部２０に取り付けて、側面視略Ｉ字状とすることもできるし、その他任意の形状を取り得る。また、上記実施形態では、棒状部材を曲げることによって脱離部材１０を形成したが、例えば平板をそのまま用いる、又は平板を側面視略Ｌ字状に屈曲させて用いる等、平板によって脱離部材１０を形成しても良い。また、脱離部材１０の寸法を必ずしも上記実施形態の寸法する必要はない。いずれにしても、片手で脱離部材１０の一方を手と手袋との間に簡単に挿し込め、手を引き上げるだけで手袋が脱げる形状であれば良い。ただし、脱離部材１０の先端１０ａは、手袋を脱ぐ際に手が引っ掛かっても手を傷つけないように、曲線又は曲面とすることが好ましい。
【００３０】
また、上記実施形態では、一方の脱離部材１０の先端１０ａを湾曲させることにより、一対の脱離部材１０，１０の先端１０ａ，１０ａを互いに離間させたが、例えば、一対の脱離部材１０，１０の両方を互いに反対方向に湾曲させることによって、先端を離間させても良い。さらには、脱離部材１０の把持部分１１の長さを変えることにより、一対の脱離部材１０，１０の先端１０ａ，１０ａを互いに離間させても良い。いずれにしても、手袋が一対の脱離部材１０，１０間に進入可能なように先端１０ａ，１０ａが互いに離間していれば良い。
【００３１】
また、上記実施形態では、脱離部材１０を本体部２０の側面に取り付けたが、例えば、本体部２０の下面に取り付けることもできる。このとき、本体部２０の外周部、つまりは本体部２０の外周縁又は外周縁から所定距離内側部分に取り付けられることが好ましい。これにより、脱離部材１０から突出する本体部２０が少なくなり、本体部２０の突出部分に引っ掛かって怪我をすることが防止される。また、本体部２０は、直方体状である必要はなく、例えば断面略逆Ｕ字状とすることもできる。この場合には、脱離部材１０は、Ｕ字の底部、つまりは本体部２０の上面内側に溶接等を利用して取り付けることができる。
【００３２】
また、上記実施形態では、手袋脱ぎ具１は本体部２０を備えているが、例えば一対の脱離部材１０を直接手術台や検査台、医療器具を置く台等の邪魔にならない場所に取り付けることもできる。この場合には本体部２０が不要となり、より手袋脱ぎ具１が邪魔にならないようにすることができる。
【００３３】
また、本発明の手袋脱ぎ具１は、医療用に限られず、一般家庭用から各種産業における作業用の手袋まで、種々の手袋にも用いることができる。
【符号の説明】
【００３４】
１      手袋脱ぎ具
１０    脱離部材
１０ａ  脱離部材の先端
１０ｂ  脱離部材の基端
２０    本体部
２１    固定手段
【図１】
2015193975.tif 000003
【図２】
2015193975.tif 000004
【図３】
2015193975.tif 000005